(57)【特許請求の範囲】
【請求項１】
モータと、前記モータにより回転される駆動軸と、前記モータの回転を制御するモータ制御部とを有する本体部と、
前記駆動軸に取り付けられ、前記駆動軸とともに回転して被調理物を調理するワークとを備え、
ユーザが前記本体部を把持して調理を行う電動調理器であって、
前記モータ制御部は、前記モータの回転開始時に、調理内容に応じた所定の回転数よりも低速かつ漸増する回転数で前記モータを回転させる前工程を経た後に、前記モータを前記所定の回転数で回転させる本工程へと移行する回転制御を行い、
前記モータ制御部は、前記前工程において前記モータを連続的に、かつ、回転数が階段状に増加するように回転させるとともに、低速での回転期間がより長くなるように制御する回転制御を行う電動調理器。
【請求項２】
前記前工程の期間が３秒以下である、請求項１に記載の電動調理器。
【請求項３】
前記駆動軸の回転に伴って回転する回転軸と、前記回転軸に取り付けられた前記ワークとを有して前記本体部の先端に装着可能な複数種類のアタッチメントを備え、
前記アタッチメントを取り替えることで、複数種類の前記ワークが交換可能に取り付けられる、請求項１または２に記載の電動調理器。
【請求項４】
前記アタッチメントとして、被調理物を収容可能な調理容器の内部に前記ワークが回転可能に配置された容器付きアタッチメントが装着された場合に、前記モータ制御部は、前記前工程を経ずに前記本工程へと移行する回転制御を行う、請求項３に記載の電動調理器。
【請求項５】
装着された前記アタッチメントの種類を検知可能な検知手段をさらに備え、
前記モータ制御部は、前記検知手段から出力された前記容器付きアタッチメントが装着されたことを示す検出信号に基づいて、前記前工程を経ずに前記本工程へと移行する回転制御を自動的に行う、請求項４に記載の電動調理器。
【発明の詳細な説明】
【技術分野】
【０００１】
本願は、モータによって駆動軸を回転させ、駆動軸とともに回転するワークを用いて被調理物を撹拌・切断等する電動調理器に関し、特に、ユーザが本体部を手に持って調理を行うハンディタイプの電動調理器に関する。
【背景技術】
【０００２】
家庭で使用される電動調理器として、モータによって調理容器の中心に配置されたカッターを回転させて、調理容器内に投入された各種の被調理物を切断・粉砕したり撹拌したりするものとして、ジューサー、ミキサー、フードプロセッサーと称される各種の機器が実用化されている。また、モータが収容された本体部をユーザが手で保持して、駆動軸の先端部を下側に向けて使用するハンディタイプの電動調理器も広く用いられている。
【０００３】
ハンディブレンダー、ハンディミキサーなどと称されるこれらハンディタイプの電動調理器として、近年では、本体部の先端に取り付けられるアタッチメントを交換することで、泡立てや撹拌などに限らず、パン生地を捏ねたり、野菜や肉類を細断したりすることもできるなど、多くの調理メニューへの対応が可能なものが実用化されている。
【０００４】
ハンディタイプの電動調理器の本体部の先端に装着されるアタッチメントとして、ボウルやカップ内の食材を撹拌するブレンダーとしてのアタッチメントが装着されている場合には、アタッチメントの先端面は開放面となっているために、電動調理器を先端側から見た場合にワークであるブレンダーカッターが直接見える形態となる。
【０００５】
このようにブレンダーとしてのアタッチメントが装着されている状態において、電動調理器のスイッチが誤って操作された場合にブレンダーカッターが回転してしまう危険を回避するために、電動調理器が先端部を下側に向けた正しい調理姿勢ではない場合には、スイッチが操作されてもモータが回転しないような安全対策が施されたものが提案されている（特許文献１参照）。
【先行技術文献】
【特許文献】
【０００６】
【特許文献１】特開２００６−３２５９２０号公報
【発明の概要】
【発明が解決しようとする課題】
【０００７】
上記従来の電動調理器では、回転するブレンダーカッターでけがをしてしまうような不所望な事態を効果的に防止することができる。
【０００８】
しかし、ハンディタイプの電動調理器においては、特にスイッチを操作した直後の回転開始時のモータによるトルクの反動が、電動調理器を把持するユーザに大きな負担をかけてしまうという新たな課題が問題視されるようになった。
【０００９】
特に、家庭でハンディタイプの電動調理器を使用するユーザは握力の弱い女性であることが多く、回転開始時のモータによるトルクの反動が大きいと、ユーザが電動調理器を把持している手首を痛めてしまったり、電動調理器を取り落としてしまったりする事態も想定される。しかし、従来の電動調理器では、このようなモータの回転開始時の反動による悪影響について対策されたものは提案されていなかった。
【００１０】
本開示はこのような新たな課題を解決するものであり、ハンディタイプの電動調理器において、使用するユーザが握力の弱い女性等であった場合でもモータの回転開始時の反動による悪影響を与えることがないよう、安全面でより高い配慮がなされた電動調理器を実現するものである。
【課題を解決するための手段】
【００１１】
上記課題を解決するため、本願で開示する電動調理器は、モータと、前記モータにより回転される駆動軸と、前記モータの回転を制御するモータ制御部とを有する本体部と、前記駆動軸に取り付けられ、前記駆動軸とともに回転して被調理物を調理するワークとを備え、ユーザが前記本体部を把持して調理を行う電動調理器であって、前記モータ制御部は、前記モータの回転開始時に、一定の期間前記モータを低速で回転させる前工程を経た後に前記モータを所定の回転数で回転させる本工程へと移行する回転制御を行う。
【発明の効果】
【００１２】
本願で開示する電動調理器は、モータ制御部が、モータの回転開始時に低速で回転する前工程を経た後に本工程に移行するように制御するため、スイッチ操作直後にモータの回転により生じるトルクの反動を小さくすることができる。このため、握力の弱いユーザが本体部を把持していた場合でも、モータの回転の反動で手首を痛めたりする悪影響を効果的に回避することができる。
【図面の簡単な説明】
【００１３】
【図１】実施の形態にかかるハンディブレンダーの形状を示す分解斜視図である。
【図２】ブレンダーであるアタッチメントを装着した状態での調理の状況を説明する図である。
【図３】実施の形態にかかるハンディブレンダーにおける、モータ回転数の制御を説明する図である。
【図４】実施の形態にかかるハンディブレンダーにおいて、前工程を設けた回転制御を行った場合の、被調理物の飛び散りを防止する効果を説明する図である。図４（ａ）が前工程を有する回転制御を行った場合、図４（ｂ）が前工程を有さない回転制御を行った場合を示す。
【図５】実施の形態にかかるハンディブレンダーにおける、ＡＣモータを用いた場合のモータ回転数の制御を説明する図である。図５（ａ）が、比較的低速で回転する状態を、図５（ｂ）が比較的高速で回転する状態を示している。
【図６】実施の形態にかかるハンディブレンダーにおけるモータ回転数制御の、異なる制御パターンを説明する図である。
【図７】実施の形態にかかるハンディブレンダーにおけるモータ回転数制御の、さらに異なる制御パターンを説明する図である。
【図８】実施の形態にかかるハンディブレンダーに装着される、容器付きアタッチメントの構成を説明する分解斜視図である。
【図９】容器付きのアタッチメントを装着した状態での調理の状況を説明する図である。
【発明を実施するための形態】
【００１４】
本願で開示する電動調理器は、モータと、前記モータにより回転される駆動軸と、前記モータの回転を制御するモータ制御部とを有する本体部と、前記駆動軸に取り付けられ、前記駆動軸とともに回転して被調理物を調理するワークとを備え、ユーザが前記本体部を把持して調理を行う電動調理器であって、前記モータ制御部は、前記モータの回転開始時に、一定の期間前記モータを低速で回転させる前工程を経た後に前記モータを所定の回転数で回転させる本工程へと移行する回転制御を行う。
【００１５】
本開示にかかる電動調理器は上記の構成を備え、モータ制御部が、所定の回転数でモータを回転させる本工程の前に、低速でモータを回転させる前工程を経るようにモータの回転を制御する。このため、電動調理器を中空に浮かせた状態でユーザが本体部を把持している場合でも、モータの回転開始時に生じるトルクの反動を小さくすることができ、ユーザの手首に負担がかかる事態を回避することができる。また、駆動軸とともに回転するワークが、低速から回転を開始するため、被調理物が遠心力によって周囲に飛び散ってしまうことを抑制することができる。
【００１６】
本開示にかかる電動調理器では、前記モータ制御部は、前記前工程において、前記モータの回転数を連続的に増加させる回転制御を行うことができる。また、前記モータ制御部は、前記前工程において、前記モータの回転数を階段状に増加させる回転制御を行うことができる。このようにすることで、本工程に対してモータの回転数が低速である前工程の期間内にモータの回転数を本工程における所定の回転数へと近づけるにあたって、被調理物の種類や量、ワークの形状などに応じて、より好ましいパターンでの前工程における回転数制御を実現することができる。
【００１７】
また、前記前工程の期間が３秒以下であることが好ましい。
【００１８】
さらに、本開示にかかる電動調理器では、前記駆動軸の回転に伴って回転する回転軸と、前記回転軸に取り付けられた前記ワークとを有して前記本体部の先端に装着可能な複数種類のアタッチメントを備え、前記アタッチメントを取り替えることで、複数種類の前記ワークが交換可能に取り付けられることが好ましい。このようにすることで、調理内容に応じて適切なワークを選択し、多種類の調理を行うことができる電動調理器を実現することができる。
【００１９】
この場合において、前記アタッチメントとして、被調理物を収容可能な調理容器の内部に前記ワークが回転可能に配置された容器付きアタッチメントが装着された場合に、前記モータ制御部は、前記前工程を経ずに前記本工程へと移行する回転制御を行うことが好ましい。容器付きアタッチメントの場合には、電動調理器をキッチンテーブルなどの上に載置して調理が行われるため、本体部を把持するのみで調理する場合のような弊害が生じないからである。
【００２０】
また、装着された前記アタッチメントの種類を検知可能な検知手段をさらに備え、前記モータ制御部は、前記検知手段から出力された前記容器付きアタッチメントが装着されたことを示す検出信号に基づいて、前記前工程を経ずに前記本工程へと移行する回転制御を自動的に行うことが好ましい。このようにすることで、ユーザがアタッチメントの種類に応じた調整をすることなく、適切なモータの回転制御を行うことができる。
【００２１】
以下、本願で開示する電動調理器について、具体例を示しながら図面を参照して説明する。
【００２２】
（実施の形態）
以下では、本願で開示する電動調理器の実施の形態として、駆動軸に各種のワークを交換可能に取り付けることができるハンディタイプのブレンダーを例示して説明する。
【００２３】
本実施の形態で例示するハンディブレンダーは、本体部の先端にアタッチメントを交換可能に装着することができ、アタッチメントを交換することでアタッチメント内部の回転軸に取り付けられた各種ワークを選択、変更して、被調理物を撹拌、切断等する各種の調理を行うことができる。
【００２４】
また、本実施形態で例示するハンディブレンダーは、本体部に装着可能なアタッチメントとして、被調理物が収容されたカップ内に先端部分を差し込んで回転するワークによって被調理物を撹拌、細断等するブレンダーとしてのアタッチメントと、内部に被調理物を収容可能な調理容器とこの調理容器内で回転するワークとを備えて各種の調理に対応可能な容器付きアタッチメントとを、交換可能に装着できるものである。
【００２５】
＜ハンディブレンダーの構成＞
図１は、本実施形態にかかるハンディブレンダーの構成を示す分解斜視図である。
【００２６】
図１に示すように、本実施形態のハンディブレンダー１００は、本体部１０と、本体部１０の先端部分に装着可能なアタッチメント２０とで構成されている。なお、図１では、本体部１０の先端に装着されるアタッチメント２０として、カップ内の液体や比較的柔らかな被調理物を撹拌、細断する撹拌翼（ブレンダーブレード）をワークとして備えたものを示している。
【００２７】
図１に示すように、ハンディブレンダー１００の本体部１０は、全体として略円筒形状となっている。実際にユーザが調理に使用する状態での上下方向に合わせて図示されている図１において、本体部１０の上側部分の側面に操作ボタン１１が配置されている。本実施形態のハンディブレンダー１００では、上下方向に配置された上ボタン１１ａと下ボタン１１ｂとの２つのボタンで操作ボタン１１が構成されている。
【００２８】
操作ボタン１１が配置されている部分の本体部１０は、操作ボタン１１が配置されている側の反対側の側面部分が上方に向かって徐々に凹むように構成された径小部分１２となっていて、ユーザはこの径小部分１２を把持して調理を行う。
【００２９】
径小部分１２の下側は、略同一径で構成された径大部分１３となっていて、この径大部分１３の内部に、図示しないモータが収容されている。本実施形態のハンディブレンダー１００では、このように調理時にユーザが把持する径小部分１２よりも下方に位置する径大部分１３内に重量のあるモータを配置することで、ユーザが本体部１０を安定した姿勢で保持できるようになっている。しかし、本実施形態にかかるハンディブレンダー１００において、本体部１０におけるユーザが把持する部分の下方にモータを配置していることは一例であって必須ではなく、ユーザがモータの配置位置部分を把持する構成とするなど、他のさまざまな配置構成を採用することができる。
【００３０】
本体部１０の先端部分である下端側の部分は、アタッチメント２０が装着される装着部１４となっている。本実施形態のハンディブレンダー１００の本体部１０では、径大部分１３よりも小径の第１径小部分１４ａと第１径小部分１４ａよりもさらに小径の第２径小部分１４ｂとが段差部を介して配置されて装着部１４を構成している。
【００３１】
第２径小部分１４ｂの側面には、アタッチメント２０を螺合する際に用いられるヘリカル状に形成された凸状部１５が形成されている。また、第２径小部分１４ｂの先端部分には、モータによって回転する駆動軸１６の先端部分が配置されている。駆動軸１６の先端部分は、所定面積を有する円形に形成されていて、アタッチメント２０が装着された際に後述するアタッチメント内の回転軸２３の上端部に嵌合して回転を伝達できるよう、凹凸を有する面として形成されている。
【００３２】
本体部１０の上端部分には、ユーザが回転させることで、調理内容に適応するモータ回転数を選択できる回転スイッチ１７が配置されている。なお、回転スイッチ１７の径は、径小部分１２の径よりも大きく形成されていて、ユーザの回転操作が容易となるように配慮されるとともに、径小部分１２を把持した際にユーザの手首の上面側に回転スイッチ１７部分が乗ることで、ユーザがハンディブレンダー１００をより容易に把持できるよう配慮されている。
【００３３】
本体部１０の上端面からは、本体部１０の内部に配置されたモータを回転させる電源を供給する電源コード１８が上方に伸延している。さらに、本体部１０の上端面からは、ハンディブレンダー１００を収納する際に突起状部材にかけることができるように、フック穴が形成されている吊り下げフック１９が上方に向かって形成されている。
【００３４】
なお、本体部１０内部の所定位置、一例として、操作スイッチ１１がその表面に形成されている径小部分１２の内部には、図示しない制御回路基板が配置されている。制御回路基板には、操作スイッチ１１や回転スイッチ１７からのユーザの操作に対応して、モータを所定の回転数で回転させるモータ制御部を構成する制御回路が搭載されている。
【００３５】
本開示にかかる電動調理器では、モータ制御部は、モータを所定の回転数で回転させる本工程の前に回転数が少ない前工程での回転制御を行う。このような機能を果たすモータ制御部は、マイコンや既知の論理回路などによって実現することができる。なお、本実施形態にかかるハンディブレンダー１００における、モータ制御部によるモータ回転数の制御については後に詳述する。
【００３６】
制御回路が搭載された制御回路基板、電源コード１８を介して得られる商用電源からの電力をハンディブレンダー１００での動作電源とするための電源回路が搭載された図示しない電源回路基板、操作スイッチ１１の操作を受け付ける回路部品が搭載された図示しない操作スイッチ回路基板、回転スイッチ１７の操作を受け付ける回路部品が搭載された図示しない回転スイッチ回路基板などの各種電気回路基板は、それぞれ別々の回路基板として実現することができ、また、２つ以上の電気回路が一つの回路基板上に搭載された形態で実現することもできる。
【００３７】
図１に示すように、本実施形態にかかるハンディブレンダー１００は、本体部１０の先端に位置する装着部１４に、ワーク２４を備えたアタッチメント２０を装着して使用される。
【００３８】
図１に示すアタッチメント２０は、上述のように、計量カップなどのカップ内に収容された液体を撹拌したり、ボウル内に収容されたクリームをホイップしたり、煮込んだ後にブロック状に切断された野菜をペースト状にするなどの調理に用いられる、ブレンダーとしての機能を果たすものである。
【００３９】
ブレンダーであるアタッチメント２０は、本体部１０に装着される装着端部２１から先端部分へ向かうにつれて一旦径小の径小部２２となった後、アタッチメント２０内に回転可能に配置されている回転軸２３の先端に固着されているワークとしてのブレンダーブレード（撹拌翼）２４のカバー部２５で再び径大となるように構成されている。なお、カバー部２５における下端面側は開放面となっていて、アタッチメント２０の先端をカップ内に収容された被調理物に届く位置まで挿入した場合には、ブレンダーブレード２４は直接被調理物に接触するようになっている。
【００４０】
アタッチメント２０の装着端部２１は、本体部１０の装着部１４と嵌合可能に形成され、その内面側には、本体部１０の第１径小部分１４ａと嵌合する径大の第１嵌合凹部２１ａと、本体部の第２径小部分１４ｂと嵌合する第１嵌合凹部２１ａより径小で深さも深い第２嵌合凹部２１ｂが形成されている。第２嵌合凹部２１ｂの内側面には、本体部１０の第２径小部１４ｂに形成された凸状部１５に対応して形成されたヘリカル状のアタッチメント凸部２６が形成されている。アタッチメント２０の装着端部２１と本体部１０の装着部１４とを付き合わせるようにして互いに回転させることで、凸状部１５とアタッチメント凸部２６とが螺合して、本体部１０にアタッチメント２０を装着することができる。
【００４１】
本体部１０の先端にアタッチメント２０が装着された状態では、本体部１０の駆動軸１６の先端部分とアタッチメント内の回転軸２３の本体部側である上端部（図示省略）とが突き合わされ、互いの端面に形成された凹凸形状が噛み合うことで、本体部１０のモータの回転が駆動軸１６を介してアタッチメント内の回転軸２３に伝わり、ワークであるブレンダーブレード２４が回転する。このようにして、本実施形態のハンディブレンダー１００では、本体部１０内部に配置されたモータで回転する駆動軸１６に、アタッチメント２０内に配置されたワークであるブレンダーブレード２４が間接的に取り付けられる。
【００４２】
なお、本体部１０の装着部１４とアタッチメント２０の装着端部２１とが、容易に、かつ、正確に嵌合できるように、本体部１０の第１径小部分１４ａと第２径小部分１４ｂ、アタッチメント２０の第１嵌合凹部２１ａと第２嵌合凹部２１ｂとに、適宜ガイド溝やガイド突起などのガイド部材を設けることができる。また、本体部１０の装着部１４の側面とアタッチメント２０の装着端部２１の側面とに、両者の正しい嵌合位置を示すマークを配置することができる。さらに、装着されたアタッチメント２０が本体部１０から容易に脱落しないように、適宜ロック機構を設けることができる。
【００４３】
＜ハンディブレンダーの動作例＞
図２は、本実施形態にかかるハンディブレンダーの使用状態を示すイメージ図である。
【００４４】
図１に示したブレンダーとしてのアタッチメント２０が装着された場合には、ユーザは図２に示すように、本実施形態のハンディブレンダー１００を右手で保持するとともに、左手で被調理物２７が収容されたカップ２７を押さえ、ハンディブレンダー１００の先端のカバー部分２５をカップ２７の内部に差し込んで中空に浮かせた状態でブレンダーブレード２４を回転させる。
【００４５】
なお、本実施形態のハンディブレンダー１００では、モータ制御部は、ユーザが下ボタン１１ｂを押した状態で上ボタン１１ａを押したことを検出した場合にのみ、モータが回転を開始するように設定されている。
【００４６】
さらに、本実施形態のハンディブレンダー１００では、モータ制御部は、モータの回転開始時に、一定の期間、低速でモータを回転させる前工程を経て調理内容に応じた所定の回転数でモータを回転させる本工程へと移行するように制御する。
【００４７】
図３は、本実施形態にかかるハンディブレンダーのモータ制御部による、モータ回転数の制御内容を説明する図である。
【００４８】
図３において、上段の符号３１は、モータ制御部の制御回路が出力するモータ回転数を制御する制御信号を示す。また、図３における下段の符号３２は、モータの回転数の変化を示している。
【００４９】
図３に示すように、ユーザが操作ボタン１１からモータの回転開始を指示した時間ｔ０から、モータの回転が開始される。本実施形態のハンディブレンダー１００では、制御信号３１がＰＷＭ制御の信号として与えられるため、時間ｔ０（＝０秒）から制御信号３１がＯＮ／ＯＦＦを繰り返す動作を開始するとともに、デューティー比が徐々に大きくなってＯＮ時間の割合が大きくなっていく。
【００５０】
一例として、ｔ１＝２秒とする本工程が開始されるまでの２秒間の前工程期間の間、デューティー比が０％から１００％へと変化したＰＷＭ制御信号である制御信号３１は、時間ｔ１から本工程期間に移行して、その出力がＯＮ状態（デューティー比が１００％の状態）を維持することとなる。このとき、モータの回転数３２も、時間ｔ１においてブレンダーとしてのアタッチメント２０による調理時における所定の回転数Ｒ１である、一例として１３０００ｒｐｍとなる。
【００５１】
所定回転数Ｒ１に到達した後、ユーザにより調理の完了、または、一時停止の判断がされて操作ボタン１１の押圧が解除されたことをモータ制御部が検出するまでの間、モータは回転数Ｒ１での回転を続ける。
【００５２】
なお、モータ制御部は、長時間連続してモータが回転することにより生じる発熱などの弊害を回避するために、ジャガイモのすりつぶしやカボチャのペースト化、または、バナナやイチゴのジュースをつくるためのブレンダーとしてのブレンダーブレード２４の予め設定された連続回転時間の上限（一例として３０秒間）となると、自動的にモータの回転を停止させる制御を行うことができる。
【００５３】
このように、本実施形態にかかるハンディブレンダー１００では、モータの回転を制御するモータ制御部が、モータの回転開始時に、回転数が少ない前工程を経て所定の回転数の本工程へと移行するように制御する。
【００５４】
このため、モータが急激に高速で回転を開始することにより生じる、大きなトルクの反動が生じることを効果的に回避することができる。したがって、本実施形態にかかるハンディブレンダー１００では、モータにより回転する駆動軸１６を備えた本体部１０を直接把持し、さらに、ハンディブレンダー１００を中空に浮かせた状態で保持してユーザが調理を行った場合でも、ユーザが手首を痛めてしまうなどの事態を防止することができる。
【００５５】
また、本実施形態のハンディブレンダー１００では、モータ制御部が、所定の回転数の本工程に移行する前に、モータを低速で回転させる前工程を経るように制御しているため、被調理物の飛び散りを防止できるという更なる効果を発揮することができる。
【００５６】
本実施形態のハンディブレンダーに搭載されたモータ制御部による、低速回転の前工程を経た後に本工程に移行するモータの回転制御を行った場合の、被調理物の飛び散り防止効果を確認した実験結果を図４に示す。図４（ａ）は、本実施形態で説明するモータ制御部による回転制御を行った場合を示す。また、図４（ｂ）は、前工程を経ずに直接本工程としてのモータ回転を開始した比較例の場合を示す。
【００５７】
図４に結果を示す実験は、モータ回転制御の相違によるブレンダーブレードでの被調理物の実際の飛び散り状態を比較したものである。被調理物の飛び散る様子を確認することが目的であるため、飛び散りが生じやすい条件とするために、底の浅い皿（直径６５ｍｍ、最大（中央部の）深さ１５ｍｍ）にインクで着色した水をそれぞれ約半分の深さとなるように入れたものを用意した。そして、図１に示したアタッチメント２０を装着したハンディブレンダー１００のブレンダーブレード２４を、皿内の水に漬けた状態から実際にモータの回転を開始させて水が飛び散った様子を皿の真上から撮影した。図４（ａ）、図４（ｂ）において、中央の円形部分４１、４１’が水を入れた皿であり、その周囲の着色部分は皿から周囲に飛び散った水である。
【００５８】
図４（ａ）に示す、本実施形態にかかるハンディブレンダー１００のモータ制御部によるモータ回転制御を行った場合は、実験開始時に初期値５００ｒｐｍでモータの回転を開始し、２秒間をかけて図３に示したように回転数を連続的に大きくしていって、所定回転数である６５００ｒｐｍに到達した後、３秒後に回転を停止させた。
【００５９】
図４（ｂ）に示す、比較例のモータ制御では、回転開始時から６５００ｒｐｍの所定回転数での回転を行うように制御し、回転開始から５秒で回転を停止させた。
【００６０】
図４から明らかなように、図４（ａ）で示す本実施形態のモータ制御部での回転制御を行った場合は、図４（ｂ）の比較例のモータ制御を行った場合に比べて、飛び散った水の量、飛び散った距離のいずれも小さく抑えられていることがわかる。
【００６１】
本実施形態にかかるハンディブレンダーでは、図１、および、図２に示したように、アタッチメント２０内の回転軸２３の先端部分に取り付けられたブレンダーブレード２４の側方部分から上側の回転軸２３の周囲を覆うようにカバー部２５が設けられているため、液状の被調理物を撹拌調理した場合でも被調理物の周囲への飛び散りが生じにくいようになっている。しかし、容器２７に所定量以上の多量の被調理物２８を入れた場合や、ユーザがハンディブレンダー１００の先端部分を容器２７の中に十分入れない状態でモータの回転を開始した場合には、ブレンダーブレード２４の回転によって容器２７の周囲にまで被調理物２８が飛び散ってしまう可能性がある。
【００６２】
本実施形態のハンディブレンダー１００では、このように、容器２７の周囲に被調理物２８が飛び散り易い状態でユーザが使用した場合でも、被調理物２８が実際に飛び散ってしまうことを防止、または、飛び散る量を低減することができる。
【００６３】
なお、上記の説明において、本実施形態にかかるハンディブレンダー１００におけるモータ回転制御では、制御信号３１としてＰＷＭ制御信号を用いることを例示して説明した。本実施形態のハンディブレンダー１００では、駆動軸１６を回転するモータとして、ＤＣモータ、ＡＣモータのいずれをも用いることができる。ＤＣモータを用いる場合には、ＰＷＭ制御を行う制御信号３１の信号出力をオペレーションアンプで増幅してモータに供給したり、ＰＷＭ制御パルスによってＯＮ／ＯＦＦ時間を制御するスイッチング素子を介して所定のＤＣモータ駆動電圧を異なるデューティー比で供給したりすることで、ＯＮ期間の長さが徐々に長くなったＤＣ電圧波形を容易に得ることができる。
【００６４】
また、駆動モータとしてＡＣモータを用いる場合には、ＰＷＭ制御信号をトライアック（双方向サイリスタ）のゲート端子に入力してＡＣ電圧の位相制御を行い、モータの回転数を制御することができる。
【００６５】
図５は、ＡＣモータを用いた場合のトライアックを用いた回転数制御の電圧波形を示す図である。図５（ａ）が、ＰＷＭ制御におけるデューティー比が比較的小さい状態、図５（ｂ）が、ＰＷＭ制御におけるデューティー比が比較的大きくなった状態を示す。
【００６６】
図５（ａ）において、符号５１で示すＺＣを検出して、ＰＷＭ信号５２のＯＮ状態の時のみ入力電圧が加わるようにすることで、ＡＣモータに供給される駆動電流５３がＰＷＭ信号のＯＮ期間のみ流れるように制御することができる。図５（ａ）と比較して、ＰＷＭ信号５２’のＯＮ期間が長い、すなわち、デューティー比が大きい図５（ｂ）に示す状態では、モータにより長い時間駆動電流５３’が印加されるので、ＡＣモータをより高速で回転させることができる。
【００６７】
なお、本実施形態のハンディブレンダー１００において、モータ回転数の制御は、上述したＰＷＭ制御に限られるのではなく、モータの駆動電流の大きさを直接変化させる方法や、モータ駆動回路に可変抵抗手段を挿入して抵抗値を変化させてモータ回転数制御する方法など、ＤＣモータ、ＡＣモータそれぞれにおいて回転数の制御を行うことができる各種の手段を採用して実現することができる。
【００６８】
上記実施形態では、前工程期間におけるモータの回転数を直線的に増加させる例を説明したが、低速でモータを回転させる前工程におけるモータ回転制御は、図３に示したように、直線的に回転数を増加させるものに限られない。
【００６９】
図６に、本実施形態にかかるハンディブレンダーにおけるモータ回転数制御の異なる制御パターンを示す。
【００７０】
本実施形態にかかるハンディブレンダー１００において、前工程でのモータ回転数制御パターンとして、例えば図６に示すように、一定の期間同じ回転数を維持しながら階段状に回転数を増加させる回転数制御を行うことができる。
【００７１】
例えば、図６に示すように、前工程での回転開始時の時間ｔ０からｔ２までを第１の回転数Ｒ２で、時間ｔ２からｔ３までを第２の回転数Ｒ３で、時間ｔ３からｔ４までを第３の回転数Ｒ４で、時間ｔ４からｔ１までを第４の回転数Ｒ５となるような４段階の回転数による低速回転を行った後に、時間ｔ１以降は本工程として所定の回転数Ｒ１で回転するようなモータの回転制御を行うことができる。
【００７２】
このときそれぞれの段階における回転数は徐々に早くなるように、すなわち、Ｒ２＜Ｒ３＜Ｒ４＜Ｒ５の関係を満たすことが必要である。また、ハンディブレンダー１００の本体部１０を把持するユーザに対するモータの回転により生じるトルクによってかける負担を小さくすること、また、被調理物の飛び散りを低減・防止すること、という目的を達成する観点からは、図６に例示するように、低速での回転時間をより長く設定する、すなわち、（ｔ２−ｔ１）＞（ｔ３−ｔ２）＞（ｔ４−ｔ３）＞（ｔ１−ｔ４）の関係を満たすようなモータの回転制御を行うことができる。ただし、図６に示したような、各回転数でモータを回転させる時間が徐々に短くなるように設定した回転制御パターン場合に限らず、それぞれの回転数での回転時間をほぼ一定とする回転制御パターン、図６の場合とは反対に、より早い回転数での回転時間をより長く設定する回転制御パターンを採用することができる。
【００７３】
また、図６では、増大する回転数の各ステップでの段差、すなわちそれぞれのステップにおける回転数の変化量（Ｒ２−０、Ｒ３−Ｒ２、Ｒ４−Ｒ３、Ｒ５−Ｒ４、Ｒ１−Ｒ５）が、ほぼ均等となるように設定した回転制御パターン例を示している。しかし、本実施形態のハンディブレンダー１００において、前工程で階段状に回転数を増加させる回転制御を行う場合において、増加する回転数の増加度合いは、図６に示したように均等に設定したものには限られない。例えば、階段状の段差が徐々に大きくなるように設定すること、すなわち、（Ｒ２−０）＜（Ｒ３−Ｒ２）＜（Ｒ４−Ｒ３）＜（Ｒ５−Ｒ４）＜（Ｒ１−Ｒ５）の関係を満たすように、各ステップでの回転数を設定することができる。この場合には、スイッチ操作に伴って回転を開始するモータ回転数が、前工程の前半部分で特に低速回転となるように設定できるので、モータのトルクによる悪影響を効果的に低減することができる。また、これとは反対に、階段状の段差が徐々に小さくなるように設定すること、すなわち、（Ｒ２−０）＞（Ｒ３−Ｒ２）＞（Ｒ４−Ｒ３）＞（Ｒ５−Ｒ４）＞（Ｒ１−Ｒ５）の関係を満たすように各ステップでの回転数を設定することができる。
【００７４】
なお、図６に示した例では、モータの回転数が４段階の回転数での低速回転を行う前工程を経て、所定回転数Ｒ１での回転を行う本工程へと移行する例を示したが、前工程における低速回転のステップ数は４段階に限られない。低速回転の段階数が１段階、すなわち前工程でモータの回転数を変化させずに、所定の回数の低速回転が行われる前工程の後に所定の回転数で回転させる本工程へと移行する回転数の制御パターンを採用することができる。また、２段階、３段階、または、５段階以上の所望の段階数での低速回転制御を経て、本工程での高速回転へと移行するモータの回転制御を行うことができる。
【００７５】
さらに、前工程における低速でのモータ回転数制御として、モータの回転数を徐々に本工程での回転数に近づくように増加させる回転数制御パターンとしては、図３に示した直線的に回転数が増加する場合、図６に示したように、階段状に回転数が増加するように制御する場合以外にも、回転数の増加度合いを変化させながら連続的に回転数を増加させる回転数制御を行うことができる。
【００７６】
図７は、このように連続的に回転数を増加させる、前工程でのさらに異なる回転数の制御パターンを示す図である。
【００７７】
連続的に回転数を上昇させる前工程での回転数制御としては、図７に符号７１として示すように、時間経過とともに回転数の上昇度合いが増大するような回転数制御パターンと、符号７２として示すように、時間経過とともに回転数の増加度合いを減少させながら回転数を増加させる回転数制御パターンとの２つの種類が想定できる。
【００７８】
図７に、符号７１として示す、回転数の増加量を徐々に増大させる回転数制御パターンは、前工程の前半よりも前工程の後半においてより急激に回転数が増加するような制御を行う点で、図６に例示した、前工程の後半において同じ回転数を維持する時間を短くする回転数の制御パターンと共通する。このため、モータの回転開始時に生じるトルクがハンディブレンダー１００の本体部を把持するユーザの手にかける負担を低減することや、被調理物が飛び散ってしまうという弊害を効果的に抑制するという効果をより強く発揮させることができる。
【００７９】
一方、図７に符号７２として示す回転数の制御パターンでは、前工程の比較的早い段階で一定以上の回転数となるため、フルーツ類やゆでた野菜類などと比較して硬めの被調理物である、芋類やカボチャなどを煮たものをブロック状にしたのち、ブレンダーブレード２４を用いてペースト状に調理する場合など、モータの回転数が低速すぎると、被調理物によってブレンダーブレード２４の回転が妨げられてしまう場合に特に好適である。なお、図７における符号７２として示す回転数の変化を生じさせる制御パターンの場合でも、モータの回転開始時には、本工程での所定の回転数よりも低速で回転する前工程を経て本工程へと移行しているため、前工程を経ることなくいきなり本工程での所定の回転数でモータ回転を行わせるモータの回転制御の場合と比べて、モータ回転開始時のトルクによる悪影響を回避する効果や、被調理物の飛び散りを防止する効果を発揮させることができる。
【００８０】
＜前工程を有さないモータ回転制御＞
次に、本実施形態にかかるハンディブレンダー１００において、モータ制御部が低速回転の前工程を経ずに本工程へと移行する場合について説明する。
【００８１】
図８は、本実施形態のハンディブレンダーの本体部の先端に装着されるアタッチメントの他の例を示す分解斜視図である。
【００８２】
図８に示す他の例のアタッチメント８０は、容器蓋８１と、チョッパーカッター８２と、アタッチメントカップ８３とを組み合わせることで構成されるアタッチメントである。
【００８３】
容器蓋８１は、その上面側が本体部１０の装着部１４と嵌合するアタッチメント８０側の装着端部８１ａとなっている。図１に示したブレンダーとしてのアタッチメント２０の装着端部２１と同様に、容器蓋８１の装着端部８１ａの内面側には、本体部１０の装着部１４における第１径小部１４ａの形状に対応した大径の第１嵌合凹部８１ｂと、第１嵌合凹部８１ｂより小径で、本体部の第２径小部１４ｂの形状に対応した第２嵌合凹部８１ｃとが形成されている。
【００８４】
容器蓋８１のコーン状に広がる下側部分８１ｄの内側中心部分には、上下方向に配置された図示しない蓋部回転軸が配置されていて、本体部１０にアタッチメント８０を装着した際に、蓋部回転軸の上端面に形成された嵌合用の凹凸形状が本体部１０の駆動軸１６の下端面に形成された凹凸形状と嵌合して、本体部１０の駆動軸１６の回転に伴って容器蓋８１の蓋部回転軸が回転する。
【００８５】
なお、容器蓋８１の下側部分８１ｄの下端側先端部分には、容器蓋８１をアタッチメントカップ８３にしっかりと被せることができるように、アタッチメントカップ８３側面の上端部分の内壁に挿入可能な環状の凸部（図示省略）が形成されている。
【００８６】
チョッパーカッター８２は、軸部８２ａと軸部８２ａの下端側に配置された、側方に伸延するチョッパー部材８２ｂとで構成されている。チョッパーカッター８２の軸部８２ａの下端側８２ｃには、図示しない陥没孔部が軸中心と同軸に形成されていて、この陥没孔部をアタッチメントカップ８３の底面８３ａの中心から上方に伸延する支持軸８３ｂに被せるように載置することで、チョッパーカッター８２は、アタッチメントカップ８３内で自由に回転することができる。
【００８７】
チョッパーカッター８２の軸部８２ａの上端部分は、軸状部分８２ｄから側方に伸びる板状部材８２ｅが配置される構成となっている。チョッパーカッター８２をアタッチメントカップ８３の底面８３ａに形成された支持軸８３ｂ上に載置した状態で容器蓋８１を被せることで、チョッパーカッター８２の軸部８２ａの上端部分に形成された板状部分８２ｅが容器蓋８１の内側に配置された上述の蓋部回転軸の底面に形成された凹部に嵌合し、チョッパーカッター８２は、蓋部回転軸とともに回転することができる。このようにして、本体部１０の駆動軸１６に、容器付きアタッチメント８０のアタッチメントカップ８３内部に配置されたチョッパーカッター８２を間接的に取り付けることができ、駆動軸１６の回転に伴ってワークであるチョッパーカッター８２を回転させることができる。
【００８８】
アタッチメントカップ８３は、透明ガラス製の比較的大きな開口を備えたカップ形状の部材である。アタッチメントカップ８３の底面８３ａの中央には、上述の通りアタッチメントカップ８３の開口部側に向けて伸延する支持軸８３ｂが形成され、この支持軸８３ｂに被せるように載置されるチョッパーカッター８２を回転自在に支持する。また、アタッチメントカップ８３の側面８３ｃの上端部分の内径は、上述した容器蓋８１の開口端部に形成された環状の凸部がちょうど挿入可能な大きさとなっていて、容器蓋８１をアタッチメントカップ８３に上方から被せることで、両者を隙間無く一体化することができる。
【００８９】
なお、アタッチメントカップ８３の底部８３ａの裏側（すなわち外側）部分には、取り外し可能な環状の滑り止めであるゴム部材８３ｄが配置されている。
【００９０】
図８で説明したように、本実施形態のハンディブレンダー１００では、容器付きアタッチメント８０として、ワークであるチョッパーカッター８２がアタッチメントカップ８３内で回転可能に支持される構成を用いて、挽肉や魚のすりつぶし、たまねぎ・にんじんなどのみじん切り、食パンを用いてパン粉を作成するなどの幅広い種類の調理を行うことができる。また、アタッチメントカップ８３内に配置するチョッパーカッター８２に換えて、生クリームやメレンゲなどの撹拌に用いられる図示しないホイップブレード、パン粉を捏ねるための図示しないパン捏ねプレード、大根おろしなどを調理する図示しないおろしカッターなど、それぞれの調理により適したワークを交換可能に用いることができ、ハンディブレンダー１００を用いて調理することができる調理の種類を大幅に拡大することができる。
【００９１】
図９は、図８を用いて説明した容器付きのアタッチメントを装着した状態での、調理の状況を説明するイメージ図である。
【００９２】
図９に示したように、本体部１０に装着されるアタッチメントとして、被調理物を収容できる容器と容器の内部に回転可能に配置された各種ブレードなどのワークを備えた容器付きのアタッチメント８０を用いる場合、ユーザは、アタッチメント８０をキッチンテーブルなどの上に載置した状態で、本体部１０を保持する側の手（右手）とは反対側の手（左手）で、アタッチメント８０の容器蓋８１部分を押さえることができる。また、上述したように、アタッチメントカップ８３として比較的重量のあるガラス製のものを用い、さらに、アタッチメントカップ８３の裏側に滑り止めである環状のゴム部材８３ｄを配置することによって、軽い力であっても比較的しっかりと、容器付きアタッチメント８０をキッチンテーブル上で保持することができる。
【００９３】
図９に示すように、容器付きアタッチメントを用いて調理する場合には、ユーザは本体部１０を軽く支えているような状態となるため、本体部１０に内蔵されたモータが回転しても、そのトルクがユーザの手首に負担をかけるという事態はほとんど生じない。また、容器付きアタッチメント８０のアタッチメントカップ８３の開口部は、容器蓋８１で覆われているため、図９に示すようにユーザが容器蓋８１を押さえる正常な使用方法で使用する限りにおいて、チョッパーカッター８２が急に高速回転を開始した場合でも、被調理物８４が周囲に飛び散ることはない。
【００９４】
このように、容器付きのアタッチメント８０が装着されている場合には、本実施形態にかかるハンディブレンダー１００では、モータ制御部が、モータ回転数の少ない前工程を経ずにモータの回転開始時点から所定の回転数で回転する本工程としての回転制御を行うことができる。特に、容器付きのアタッチメント８０を用いて行われる調理は、上述したように、被調理物として比較的硬いものや粘度の高いものが用いられるために、ワークの回転を妨げる方向の力が働くものが多い。このような被調理物を調理する場合に、本工程での調理を開始する前にモータを低速で回転させる前工程を介することで、モータが回転を開始できないなどの不測の事態が生じうる場合がある。
【００９５】
よって、本体部１０に容器付きのアタッチメント８０を装着して調理する場合には、モータ制御部が、前工程を経ないで回転開始後すぐに本工程へと移行する回転制御を行うことが好ましい。
【００９６】
なお、本実施形態のハンディブレンダー１００では、本体部１０の装着部１４に装着されたアタッチメントが、図１に示したようなブレンダーとしてのアタッチメント２０か、それとも、図８に示した容器付きのアタッチメント８０であるかを検出する検知機構を備えることができる。装着されたアタッチメントの種類を検出する検知機構は、本体部１０の装着部１４とアタッチメント２０、８０における装着端部２１、８１ａに、電気的検知部としての端子部や各種センサ素子、または、機械的検知部としての突起部とこれに対応する嵌合凹部などを配置することで実現できる。
【００９７】
このような、本体部１０の先端に装着されたアタッチメントの種類を判別できる検知機構を備えることで、モータ制御部がこの検知機構からの出力信号として容器付きアタッチメント８０が装着されたことを示す信号を受け取った場合には、自動的に前工程を経ずにモータの回転開始後に直ちに本工程へと移行する回転制御を行うことができる。このように、装着されたアタッチメントの種類に応じて前工程の必要性をモータ制御部が判定して自動的に適切な回転制御を行うことで、ユーザによるアタッチメント種類に応じた回転制御の使い分け操作が不要となり、高い利便性を備えたハンディブレンダー１００を実現することができる。
【００９８】
以上説明したように、本実施形態にかかるハンディブレンダー１００では、モータの回転を制御するモータ制御部が、モータの回転開始後に、低速での回転を行う前工程を経た後に所定の回転数で回転する本工程へと移行する回転制御を行う。この結果、モータの回転開始時に、モータが急激に回転することを回避できるため、本体部を把持するユーザの手首にモータの回転開始に伴って生じるトルクの反動が伝わって、手首を痛めてしまうという課題を解決することができる。また、モータの回転開始時に低速回転を行うことで、被調理物として液体などの粘度の低いものを用いた場合に、被調理物が調理カップから外部へ飛び散ってしまうことを、効果的に防止することができる。さらに、モータ回転開始時にモータに供給されるモータ駆動電力を小さくすることで、いわゆる突入電流の発生を防止することができ、モータとモータを駆動する電気回路素子に与える負担を低減するという効果を得ることができる。
【００９９】
なお、上記実施形態では、ハンディブレンダーとして、本体部の先端に各種アタッチメントを交換可能に装着することで、異なる種類のワークを回転させてさまざまな調理に対応できるものを例示した。しかし、本願に係る電動調理器としてのハンディブレンダーは、本体部に複数種類のアタッチメントを交換可能に装着できるものには限られない。例えば、異なる種類のワークを交換可能に使用する形態のハンディブレンダーである場合でも、アタッチメントを介するのではなく、本体部に収容されたモータで回転する駆動軸に、直接各種のワークを交換可能に装着できる構成として実現することができる。さらに、ブレンダーとして調理する際に、好適な形状の撹拌翼が駆動軸の先端に交換不可の状態で固着された、ワークが交換できない形態のハンディブレンダーにおいても、低速回転の前工程を経た後に本工程へと移行するモータの回転制御を行う、モータ制御部を備えた構成を実現することができる。
【０１００】
なお、上記で説明したハンディブレンダーの各部の構成は、一例を示したものに過ぎず、本体部の形状、大きさ、特に、ユーザが把持する部分の位置や形状、ユーザが操作するスイッチの構成、数、形状、配置位置など、上記例示のものとは異なる各種の形態を採ることができる。
【０１０１】
ただし、本願で開示する電動調理器は、ワークを回転させるモータが本体部内に収容されており、ユーザが本体部を直接把持して調理を行う形状の電動調理器に限られる。例えば、電動調理器としてのミキサー（攪拌機）であっても、モータが収容された本体部とは別にユーザが把持する把持部が設けられている構成、特に、本体部と略直交する方向に伸延する把持部を備えた構成の電動調理器は、本願で開示する電動調理器には該当しない。モータが収容された本体部をユーザが把持して調理を行わない電動調理器においては、モータの回転開始時に、電動調理器を把持するユーザの手首にモータの回転により生じるトルクの反動が悪影響を及ぼすという、本願発明が解決すべき課題が存在しない。
【０１０２】
また、上記実施形態では、被調理物を撹拌する機能を備えたハンディブレンダーを例示して説明したが、本願で開示する電動調理器はこれに限られず、駆動軸の先端に被調理物を細断する機能のみを有するカッターを備えた電動調理カッターなど、モータによってワークを回転させて調理を行う各種のハンディタイプの電動調理器として実現することができる。
【産業上の利用可能性】
【０１０３】
本開示にかかる電動調理器は、本体部を保持して簡単に調理をすることができる、ハンディタイプの電動調理器として有用である。
【符号の説明】
【０１０４】
１０    本体部
１６    駆動軸
２０    アタッチメント
２４    ブレンダーブレード（ワーク）
１００    ハンディブレンダー（電動調理器）
【図１】
0006750214.tif 000002
【図２】
0006750214.tif 000003
【図３】
0006750214.tif 000004
【図４】
0006750214.tif 000005
【図５】
0006750214.tif 000006
【図６】
0006750214.tif 000007
【図７】
0006750214.tif 000008
【図８】
0006750214.tif 000009
【図９】
0006750214.tif 000010